(57)【要約】      （修正有）【課題】厚さが薄く軽量であると共に伸縮性に優れ、通常の使用は勿論、入水時の使用においても優れた保温性を発揮する衣服を提供する。【解決手段】伸縮性を有する表層１、中間層２および裏層３を積層して形成した衣服であって、中間層２は気液不透過性の樹脂フィルム２からなる。【選択図】図１
2010116653.tif 000002
【特許請求の範囲】
【請求項１】
伸縮性を有する表層（１）、中間層（２）および裏層（３）を一体的に積層して形成し、前記中間層（２）は気液不透過性の樹脂フィルム（２）からなることを特徴とする衣服。
【請求項２】
前記表層（１）および前記裏層（３）において、少なくとも１の層は撥水性を有することを特徴とする請求項１記載の衣服。
【請求項３】
前記表層（１）、中間層（２）および裏層（３）において、少なくとも１の層は耐塩素性を有していることを特徴とする請求項１または２記載の衣服。
【請求項４】
前記表層（１）および裏層（３）は化学繊維からなることを特徴とする請求項１、２または３記載の衣服。
【請求項５】
前記表層（１）の化学繊維は、ポリアミド系、ポリエステル系またはポリウレタン系の繊維のうち、一種以上を含む繊維であることを特徴とする請求項１、２、３または４記載の衣服。
【請求項６】
前記裏層（３）の化学繊維は、ポリアミド系またはポリエステル系の繊維のうち、一種以上を含む繊維であることを特徴とする請求項１、２、３、４または５記載の衣服。
【請求項７】
前記樹脂フィルム（２）はポリウレタン系樹脂からなることを特徴とする請求項１、２、３、４、５または６記載の衣服。
【発明の詳細な説明】
【技術分野】
【０００１】
本発明は人々が着用する衣服に関するものであって、主にスポーツに適した衣服に関するものである。
【背景技術】
【０００２】
近年、健康の維持や身体の鍛錬等のために、フィットネスクラブやホテルまたは公共の施設等のプールにおいて、水泳等の運動を楽しむ人々が増加している。また、上記以外のものでも、夏季には、海岸や湖沼等で海水浴を楽しむ人々も大勢存在する。
【０００３】
しかしながら、水泳等の水に関連する運動は、夏季以外の季節では、気温や水温により体温が奪われ、身体が冷えてしまうという問題があった。特に冬季においてはこの問題が顕著となり、温水を使用している施設であっても、すぐに身体が冷えてしまい、長時間入水することはできなかった。そのため、冬季においては、入水して運動を十分に行うことができなかった。
【０００４】
これに対し、水着の保温性に関する研究・開発も行われてきており、例えば、特許文献１の発明等が挙げられる。しかしながら、水着の保温機能に関する研究・開発において、その大部分は、出水後の身体の冷えを軽減させるという機能に着目したものであり、入水時における身体の冷えを軽減させるというものではなかった。
また、入水時における保温効果を備えた市販品の水着も存在するが、使用者が満足できる程度に身体の冷えを軽減するものはなかった。
なお、水着の保温性を向上させようとすると、一般的には水着の生地が厚くなり、伸縮性が悪化するので、水着の運動性能が低下するという問題もあった。
以上に示したように、従来においては、薄さ、伸縮性および水中における保温性を兼ね備えた水着は存在しなかった。
【０００５】
【特許文献１】特開平１０−２９８８５４号公報
【発明の開示】
【発明が解決しようとする課題】
【０００６】
そこで、本発明は上記課題を解決するためになされたものであり、厚さが薄く軽量であると共に、伸縮性に優れ、通常の使用は勿論、入水時の使用においても極めて優れた保温性を発揮する衣服を提供することを目的とする。
【課題を解決するための手段】
【０００７】
以下、上記目的を達成するための手段について記載する。
本発明における請求項１記載の発明は、伸縮性を有する表層、中間層および裏層を一体的に積層して形成し、前記中間層は気液不透過性の樹脂フィルムからなることを特徴としている。
【０００８】
ここで、表層とは外側の層を、裏層とは体側の層を示す。
これによると、表層、中間層および裏層は伸縮性を有しているので、適度に衣服を身体にフィットさせることができる。しかも、中間層を樹脂フィルムとすることで、衣服の生地の厚さを薄くすることができる。
また、表層と裏層は、樹脂フィルムを介して一体的に積層しているので、各層間の密着度が非常によくなる。このような各層間の密着度と各層自体の伸縮性とが相まって、本発明による衣服は、三層積層体であるにもかかわらず、あたかも１層であるかのような優れた一体的伸縮性を有しており、体の動きに追随して無理なく伸縮する。
【０００９】
また、気液不透過性の樹脂フィルムが、外部の気体および液体の流入を遮断するので、非常に優れた保温性能が得られる。例えば、本発明による衣服を水着として着用して、冬季のプール等に入水する場合においても、しっかりと体温を保持し続けるので、従来の水着のように身体が冷えてしまうことがなく、長時間入水し続けることができる。もちろん、本発明による衣服は、外気に対しても十分な保温性能を有するので、水に関連しないスポーツの衣服としても有効であり、またインナーウェア等としても適用することができる。
【００１０】
本発明による請求項２記載の発明は、前記表層および前記裏層において、少なくとも１の層が撥水性を有することを特徴としている。
【００１１】
これによると、表層または裏層の内部に液体が浸透しないので、衣服の保温性能が向上する。また、衣服の水切れが良いので、衣服が濡れても短時間で自然乾燥する。
【００１２】
本発明における請求項３記載の発明によると、前記表層、中間層および裏層において、少なくとも１の層は耐塩素性を有していることを特徴としている。
【００１３】
ここで、耐塩素処理は、１の層または複数の層に施すものであってもしてもよいし、全層に施すものであってもよい。
これによると、塩素系物質からの衣服の損傷を防ぐことができるので、殺菌用の塩素剤が混入しているプールまたは浴場等において、本発明による衣服を着用して繰り返し入水しても、衣服が劣化しない。したがって、本発明による衣服は、通常の水着等に比べて長期間使用することができ、その保温性能も低下せず維持し続けられる。
【００１４】
本発明による請求項４記載の発明は、前記表層および裏層が、化学繊維からなることを特徴としている。
【００１５】
このように、表層および裏層に化学繊維を使用すると、伸縮性、保温性および速乾性に優れた衣服を得ることができる。さらに衣服の薄型化および軽量化を図ることができる共に、衣服の堅牢性も向上させることができる。
【００１６】
本発明による請求項５記載の発明は、前記表層の化学繊維が、ポリアミド系、ポリエステル系またはポリウレタン系の繊維のうち、一種以上を含む繊維であることを特徴としている。
【００１７】
これによると、表層に柔軟な伸縮性をもたせることができると共に、保温性が向上する。ここで、伸縮性については、例えばストレッチ性の加工処理を施すと十分な伸縮性を得ることができる。
【００１８】
本発明による請求項６記載の発明は、前記裏層の化学繊維が、ポリアミド系またはポリエステル系の繊維のうち、一種以上を含む繊維であることを特徴としている。
【００１９】
これによると、裏層に柔軟な伸縮性をもたせつつ保温性を向上させることができる。しかも、衣服の肌触りが滑らかになるので、衣服の着心地が非常に良くなる。
【００２０】
本発明による請求項７記載の発明は、前記樹脂フィルムが、ポリウレタン系樹脂からなることを特徴としている。
【００２１】
ポリウレタン系樹脂は、伸縮性や気液不透過性に優れているので、中間層の樹脂フィルムとして適している。また、中間層を薄くすることができると共に、衣服全体の薄型化を図ることができる。
【発明の効果】
【００２２】
本発明による衣服は、きわめて優れた保温性能を有しており、通常の衣服のように使用することは勿論、水中での使用においても十分に体温を維持し続けることができる。例えば、本発明による衣服を水着として使用した場合には、冬季の温水プール等においても長時間入水することが可能となる。
【００２３】
しかも、本発明による衣服は、三層積層体からなるにもかかわらず、軽量で厚さが薄く、しかも適度に体にフィットすると共に、体の動きに追随して無理なく伸縮する一体的伸縮性を有しているので、運動性にも非常に優れている。
【００２４】
さらに、本発明による衣服は速乾性も有しており、衣服が濡れても短時間で自然乾燥する。また、耐塩素処理により、保温性能を維持しつつ長期間、衣服を使用することができる。
【００２５】
なお、上記の効果より、本発明による衣服は、ウォータースポーツ関連の衣服に適しているが、これに限らず様々なスポーツの衣服およびインナーウェア等として適用することが可能である。
【発明を実施するための最良の形態】
【００２６】
以下に本発明を実施するための最良の形態として、本発明による衣服を水着に適用した場合について図面を用いて説明する。本実施形態における衣服の生地の断面図を図−１に、水着の斜視図を図−２および図−３に示す。
【００２７】
本実施形態の水着は、上半身に着用する上着Ｔと下半身に着用するパンツＰからなり、これらは、表層１、中間層２および裏層３を積層した三層積層体の生地Ｆにより形成されている。
【００２８】
表層１は、ポリアミド系およびポリウレタン系の繊維からなり、テンビー編み等により形成する。これにより、表層１の薄型化と軽量化を図ることができ、保温機能、速乾性および堅牢性を確保することができる。
また、裏層３は、ポリアミド系の繊維で構成し、アトラス編み等により形成すると、上記表層１の機能・効果に加えて、質感の良い肌触りが得られる。
一方、中間層２は、ポリウレタン系樹脂をフィルム状に形成する。これによると、中間層２で気液が遮断されるため衣服の保温性が向上する。しかも、水着の厚さを薄くすることができ、優れた伸縮性も得られる。
【００２９】
なお、表層１および裏層３には、フッ素系撥水剤やシリコーン系撥水剤による撥水処理を施している。これにより、水着内に水等が浸透しないので水着の保温性と速乾性が向上する。
【００３０】
また、中間層２のポリウレタン系の樹脂には、耐塩素処理として、無機系塩素劣化防止剤を添加している。なお、表層１および裏層３は、その素材自体が十分に耐塩素性を有しているので、本実施形態においては、これらの層に対して耐塩素処理を施していない。
これらによると、プールや浴場等の水に混合されている塩素系の消毒剤等から水着の損傷を防ぐことができる。
【００３１】
各層の積層については、接着剤等による接着またはラミネート処理等により積層を行っている。このように、中間層の樹脂フィルム２を介して表層１および裏層３を積層すると、各層の密着度が非常に高くなる。しかも、各層の優れた伸縮性も相まって、三層が一体的に伸縮することとなり、三層積層体であるにもかかわらず、あたかも１層であるかのような一体的伸縮性が得られ、運動性にも非常に優れた衣服となる。
【００３２】
上着Ｔは、顔および手のひらを除いた上半身の全体を覆う形態とすると共に、上半身の形状にフィトするように形成し、上着Ｔの前面の中央部には着脱用のファスナー４を設けている。なお、上着Ｔの形状は前記のものに特に限定されるものではなく、例えば、半袖あるいはタンクトップ形状の物であってもかまわない。また、ファスナー４についても、前面に設ける必要性は無く、背面または側面に設けてもよいし、ファスナー４を設けないものであってもかまわない。
【００３３】
パンツＰは、足首までを覆い、下半身の形状にフィットするように形成する。パンツＰの丈は特に限定されるものではなく、膝丈までのもの又はショートパンツ形状のものであってもかまわない。なお、パンツＰの上部や裾部分に着脱用のファスナー４を設けることも可能である。
【００３４】
本実施形態における水着では、上着ＴとパンツＰからなるセパレートタイプとしているが、上下一体型のものとしてもよい。
【００３５】
本実施形態の水着の使用については、従来の水着と同様の方法により使用（着用）することができる。
【００３６】
次に、本実施形態による水着の保温効果について検討した試験について説明する。試験は、本実施形態による水着または従来の水着を着用して２８．３℃の温水に３０分間入水し、出水後の皮膚の表面温度をサーモグラフィー等により撮影、計測して行った。
図４は本発明による水着を着用した場合の出水直後における背面の皮膚の表面温度の平面分布を表し、これと同様に従来の水着を着用した場合における皮膚の表面温度の平面分布を図５に示す。また、図４および図５に示すａ点における皮膚の表面温度の経時変化を図６に示す。
【００３７】
試験結果のうち、図４および図５に示した出水直後における皮膚の表面温度の平面分布によると、本発明による水着を着用した場合は、従来の水着に比べ、全体的に表面温度が高くなっており、特に背中の上部、背中の中央部および臀部にあっては１℃以上温度が高くなっていることが確認できる。また、図６に示すａ点における体温の経時変化によると、本発明による水着は、出水後の体温が短時間で回復しており、しかも出水後７分間までの皮膚の表面体温は、従来の水着に対し、常に約１℃程度高くなっていることも確認することができる。
以上の試験結果により、本発明の水着は、非常に優れた保温性能を有することが証明された。
【００３８】
さらに、本発明による水着についてモニター調査を行ったところ、モニターからは「従来の水着では２時間の入水が限界であるが、本発明による水着であれば３時間以上の入水が可能である」という意見や「水着が重くなく温かい」という意見等が得られた。
【００３９】
以上に示した本発明による水着は、きわめて優れた保温性能を有しているので、冬季のプール等においても、身体が冷えることなく、長時間入水しつづけることができる。また、このような保温性能を有しているにもかかわらず、水着は薄くて軽く、適度に身体にフィットし、しかも優れた一体的伸縮性も有しているので、運動性にも非常に優れている。なお、本発明による水着は、速乾性も優れているので、水着が濡れても、短時間で水着が自然乾燥する。また、耐塩素処理を施しているため殺菌用の塩素剤が混入したプールおよび浴場等においても、塩素剤によって水着が劣化することがない。
【００４０】
本発明による衣服は、水着への適用に限定されるものではなく、他のウォータースポーツの衣服あるいはウォータースポーツではない他のスポーツの衣服またはインナーウェア等としても使用することができる。
【００４１】
本発明による衣服において、表層１および裏層３の素材、繊維の編み方および撥水処理については、上記実施形態のものに特に限定されるものではなく、本発明の趣旨に沿って自由に変更することができる。同様に、中間層２の樹脂フィルムについても、他の素材に変更することができる。
各層の耐塩素処理は、衣服の用途や各層の素材自体の耐塩素性等に応じてその処理の有無を決定すればよく、また、耐塩素処理の手法も、本発明の趣旨に沿って自由に変更することが可能である。
【図面の簡単な説明】
【００４２】
【図１】本発明における衣服の生地を示す断面図。
【図２】本発明における実施形態の水着の上着を示す斜視図。
【図３】本発明における実施形態の水着のパンツを示す斜視図。
【図４】本発明における実施形態の水着を着用した場合の出水直後の皮膚表面温度の平面分布を示すグラフ。
【図５】従来の水着を着用した場合の出水直後の皮膚表面温度の平面分布を示すグラフ。
【図６】図４に示すａ点における皮膚表面温度の経時変化を示すグラフ。
【符号の説明】
【００４３】
１    表層
２    樹脂フィルム（中間層）
３    裏層
４    ファスナー
Ｆ    生地
Ｐ    パンツ
Ｔ    上着
【図１】
2010116653.tif 000003
【図２】
2010116653.tif 000004
【図３】
2010116653.tif 000005
【図６】
2010116653.tif 000006
【図４】
2010116653.tif 000007
【図５】
2010116653.tif 000008